(57)【要約】【課題】連結すべき両部材を、簡易な構造によって連結できるようにする。【解決手段】連結する一方の部材１を中空状の円筒パイプで形成するとともに、その中空部１ａの下端を開口し、かつ、該一方の部材１内に係合突部４を突設する。連結する他方の部材２を、基板６と、該基板６に起立して前記一方の部材１に嵌入する円柱状の係合柱７で構成する。係合柱７の外周面に、前記係合突部４が嵌入する係止溝８を形成する。係止溝８を、前記係合突部４が挿入される側を開口するとともに係合柱７の軸方向に略沿った導入溝部８ａと、該導入溝部８ａにおける前記基板６側において連続して周方向で、かつ、基板６側へ屈曲するテーパ溝部８ｃとで構成する。係合突部４を前記テーパ溝部８ｃに嵌合位置させることにより、一方の部材１の下端面１ｂと他方の部材２の基板６が相互に圧接して両部材１，２が連結されるようにする。【選択図】          図２
2004176874.tif 000002
【特許請求の範囲】
【請求項１】
連結する一方の部材を中空状の円筒パイプで形成するとともに、その中空部の下端を開口し、かつ、該一方の部材内に係合突部を突設し、連結する他方の部材を、基板と、該基板に起立して前記一方の部材に嵌入する円柱状の係合柱で構成し、該係合柱の外周面に、前記係合突部が嵌入する係止溝を形成し、かつ、該係止溝を、前記係合突部が挿入される側を開口するとともに係合柱の軸方向に略沿った導入溝部と、該導入溝部における前記基板側において連続して周方向で、かつ、基板側へ屈曲するテーパ溝部とで構成し、前記係合突部を前記テーパ溝部に嵌合位置させることにより、一方の部材の下端面と他方の部材の基板が相互に圧接して両部材が連結されるようにしたことを特徴とする連結装置。
【請求項２】
前記係合突部と係止溝を、周方向において２個設けた請求項１記載の連結装置。
【発明の詳細な説明】
【０００１】
【発明の属する技術分野】
本発明は連結装置に関するもので、例えばパーテーションの支柱とそのベースとを連結したり、あるいはテーブルの天板とその支脚とを連結したり、その他の部材相互を連結するための連結装置に関する。
【０００２】
【従来の技術】
従来、図５に示すように、連結すべき一方の部材１０１の連結端面に、小径部１０２の先に大径部１０３を形成した係止突部１０４を突設し、連結すべき他方の部材１０５の連結端面に、前記係止突部１０４の大径部１０３が嵌入する大径穴１０６と、小径部１０２が嵌合する小径穴１０７を連続して設けるとともに小径穴１０７の裏側周縁にテーパ面を形成し、大径部１０３を大径穴１０６に嵌入した後に、一方の部材１０１を回転して大径部１０３を小径穴１０７の裏側に係止させて連結するものが知られている。
【０００３】
【発明が解決しようとする課題】
前記従来の連結装置においては、両係止部１０４の小径部１０２と大径部１０３の形成及び大径穴１０６と小径穴１０７とテーパ面の形成が必要であり、その製造に手間を要し、コストが嵩む問題がある。
【０００４】
そこで本発明は、簡易な構造で連結できる連結装置を提供することを目的とするものである。
【０００５】
【課題を解決するための手段】
前記の課題を解決するために、請求項１記載の第１の発明は、連結する一方の部材を中空状の円筒パイプで形成するとともに、その中空部の下端を開口し、かつ、該一方の部材内に係合突部を突設し、連結する他方の部材を、基板と、該基板に起立して前記一方の部材に嵌入する円柱状の係合柱で構成し、該係合柱の外周面に、前記係合突部が嵌入する係止溝を形成し、かつ、該係止溝を、前記係合突部が挿入される側を開口するとともに係合柱の軸方向に略沿った導入溝部と、該導入溝部における前記基板側において連続して周方向で、かつ、基板側へ屈曲するテーパ溝部とで構成し、前記係合突部を前記テーパ溝部に嵌合位置させることにより、一方の部材の下端面と他方の部材の基板が相互に圧接して両部材が連結されるようにしたことを特徴とするものである。
【０００６】
請求項２記載の第２の発明は、前記第１の発明において、前記係合突部と係止溝を、周方向において２個設けたものである。
【０００７】
本発明において、両部材を連結する際には、一方の部材を、その係合突部を他方の部材の係止溝に挿入して他方の部材に嵌合した後に、一方の部材を回転して係合突部を係止溝におけるテーパ溝部の最奥部に位置させることにより、両部材が相互に圧接されて連結される。
【０００８】
また、両部材を分離する際には、前記と逆の操作により分離できる。
【０００９】
【発明の実施の形態】
本発明の好ましい実施の形態を図１乃至図４に示す実施例に基づいて説明する。
【００１０】
図に示す実施例は、本発明を、図１に示すようなパーテーションの支柱１とベース２との連結に適用した例である。図１において、３は支柱１，１間に設けたパネルを示す。
【００１１】
前記の支柱１を、連結する一方の部材１とし、前記ベース２を、連結する他方の部材２とする。
【００１２】
前記一方の部材１は金属あるいは樹脂などによる中空状の円筒パイプで形成され、該一方の部材１の中空部１ａの下端は開口され、更に、該一方の部材１内には円盤状の係合突部４が突設されている。該係合突部３は図の例では、周方向に１８０°離れて２個設けられている。
【００１３】
連結する他方の部材２は、基板６と、該基板６に起立状態に固設した円柱状の係合柱７とからなり、該係合柱７の外径は前記一方の部材１内に一ぱいで、かつ、摺動可能に嵌入する寸法に設定されている。更に、前記係合柱７の外周面には、係合柱７の外面側が開口する係止溝８が形成されている。該係止溝８は、係合柱７の軸方向に略沿って形成するとともにその上端を開口して導入口８ｂを形成した導入溝部８ａと、該導入溝部８ａの下端から連続して周方向で、かつ、基板６側へ屈曲してなるテーパ溝部８ｃとからなる。
【００１４】
前記係止溝８の溝幅Ｄは前記係合突部４の直径Ｒよりも若干大きく形成されて、係合突部４が係止溝８内に嵌合して摺動できるようになっている。
【００１５】
また、前記テーパ溝８ｃの最奥部の上面８ｄから基板６の表面６ａまでの距離Ｈ１は、前記一方の部材１における係止突部４の上端面４ａから部材１の下端面１ｂまでの距離Ｈ２よりも僅かに小さく設定されており、部材１を係合柱７に嵌合した状態であって、かつ、係合突部４が図４に示すようにテーパ溝８ｃの最奥部に位置した状態において、一方の部材１の下端１ｂが、基板６の表面６ａに圧着するようになっている。
【００１６】
また、前記テーパ溝８ｃの基板６に対する傾斜角θ、すなわち係止溝８における導入溝部８ａと直交する方向に対する下方への傾斜角θは、前記のように係合突部４がテーパ溝８ｃの最奥部に圧着した状態を保持できる僅かな角度に設定されている。
【００１７】
前記係止溝８は、係合柱７の周方向に１８０°離れて２個形成されている。
次に連結操作について説明する。
【００１８】
先ず、図２及び図３の状態から、一方の部材１の下部を他方の部材２の係合柱７の外周に、係合突部４を係止溝８に挿入しつつ嵌合する。
【００１９】
次で、一方の部材１を他方の部材２側へ押し込みながら図２のＡ方向に回転し、係合突部４を係止溝８におけるテーパ溝８ｃを摺動させて係止溝８の最奥部へ位置させる。これにより、係合突部４の上端面４ａとテーパ溝８ｃの最奥部の上面８ｄとが圧接するとともに、部材１の下端面１ｂと、基板６の表面６ａが圧接し、一方の部材１と他方の部材２が連結される。
【００２０】
前記の連結状態から両部材１，２を分離する際には、前記と逆の操作により分離できる。
【００２１】
なお、前記係合突部４と係止溝８は、図の実施例ではそれぞれ２個設けたが、それぞれ１個でもよい。
【００２２】
また、前記実施例は、本発明をパーテーションの支柱とベースとの連結に適用した例であるが、本発明は、その他、テーブルの天板とその支柱の連結など、部材と部材の連結に適用できるもので、前記のパーテーションの支柱とベースとの連結に限定するものではない。
【００２３】
【発明の効果】
以上のようであるから、本発明によれば、前記従来の構造に比べて、一方の部材に単純な形状の係合突部を設け、また、他方の部材に単純な形状の係止溝を形成することで両部材を連結したり、分離することができ、前記従来の連結装置に比べて容易、安価な連結装置を提供することができる。
【図面の簡単な説明】
【図１】本発明の適用例であるパーテーションを示す斜視図。
【図２】本発明の実施例を示すもので、部材を分離した状態の斜視図。
【図３】図２における縦断面図。
【図４】図２に示す係止溝を展開状態で示す図。
【図５】従来の連結装置を示す斜視図。
【符号の説明】
１      一方の部材
１ａ    中空部
１ｂ    下端面
２      他方の部材
４      係合突部
６      基板
７      係合柱
８      係止溝
８ａ    導入溝部
８ｂ    開口部
８ｃ    テーパ溝部
【図１】
2004176874.tif 000003
【図２】
2004176874.tif 000004
【図３】
2004176874.tif 000005
【図４】
2004176874.tif 000006
【図５】
2004176874.tif 000007